(57)【特許請求の範囲】
【請求項１】
自己容量型接触検出用の微小インピーダンス変動検出装置であって：
第一の入力端、第二の入力端、及び出力端を含む差動増幅器；
差動増幅器の第一の入力端に電気的に接続された第一及び第二の端部を有する第一のインピーダンス；
差動増幅器の第二の入力端に電気的に接続された第一及び第二の端部を有する第二のインピーダンス；
タッチを感知してタッチ信号を受け取るために、差動増幅器の第二の入力端に電気的に接続された感知電極；
第一のインピーダンス及び第二のインピーダンスに入力される入力信号を供するために、第一のインピーダンスの第一の端部及び第二のインピーダンスの第一の端部に電気的に接続された信号源；及び
差動増幅器の第一の入力端に電気的に接続された第一のコンデンサ、ここで第一のコンデンサが、積分回路ピン上に存在する物理的コンデンサ又は寄生コンデンサである、を含み、
ここで、第一のインピーダンスが、第二のインピーダンスのそれに近いインピーダンス値、並びに、タッチ信号を差動的に増幅するための、及び差動的に増幅されたタッチ信号を出力端に出力するための入力信号及びタッチ信号に基づく差動増幅器を有し、かつ
感知電極が、第一の寄生コンデンサの容量値を有する積分回路ピンを介して、差動増幅器の第二の入力端に電気的に接続され；感知電極が、第二の寄生コンデンサの容量値を有し；第一のコンデンサが、平行に接続された第一の寄生コンデンサ及び第二の寄生コンデンサのそれに近い容量値を有する、微小インピーダンス変動検出装置。
【請求項２】
請求項１に記載の微小インピーダンス変動検出装置であって、信号源が、第一のインピーダンス及び第二のインピーダンスに入力されるための周期的信号を供する、微小インピーダンス変動検出装置。
【請求項３】
請求項２に記載の微小インピーダンス変動検出装置であって、指、導体又は物体が近づく又は接触するとき、感知電極がタッチ信号を受け取る、微小インピーダンス変動検出装置。
【請求項４】
請求項１に記載の微小インピーダンス変動検出装置であって、地面に接続された第一の端部、及び差動増幅器の第二の入力端に電気的に接続された第二の端部を有する第二のコンデンサを更に含み、ここで平行に接続されている第二のコンデンサ、第一の寄生コンデンサ及び第二の寄生コンデンサの容量値が、第一のコンデンサの容量値に近い、微小インピーダンス変動検出装置。
【請求項５】
請求項１に記載の微小インピーダンス変動検出装置であって、信号源に接続された第一の端部、並びに第一及び第二のインピーダンスの第一の端部に接続された第二の端部を有する第三のインピーダンスを更に含む、微小インピーダンス変動検出装置。
【請求項６】
請求項５に記載の微小インピーダンス変動検出装置であって、第三のインピーダンスが、抵抗器である、微小インピーダンス変動検出装置。
【請求項７】
微小インピーダンス変動検出装置であって：
第一の入力端、第二の入力端、及び出力端を含む差動増幅器；
差動増幅器の第一の入力端に電気的に接続された第一及び第二の端部を有する第一のインピーダンス；
差動増幅器の第二の入力端に電気的に接続された第一及び第二の端部を有する第二のインピーダンス；
タッチを感知してタッチ信号を受け取るために、差動増幅器の第二の入力端に電気的に接続された感知電極；  
第一のインピーダンス及び第二のインピーダンスに入力される入力信号を供するために、第一のインピーダンスの第一の端部及び第二のインピーダンスの第一の端部に電気的に接続された信号源；  
差動増幅器の第一の入力端に電気的に接続された第一のコンデンサ、ここで第一のコンデンサが、積分回路ピン上に存在する物理的コンデンサ又は寄生コンデンサである；
差動増幅器の出力端に電気的に接続された整流器及びフィルタ回路；
整流器及びフィルタ回路に電気的に接続された積分回路；及び
積分回路に電気的に接続されたＡ／Ｄ変換器回路を含み、
ここで、第一のインピーダンスが、第二のインピーダンスのそれに近いインピーダンス値、並びに、タッチ信号を差動的に増幅するための、及び差動的に増幅されたタッチ信号を出力端に出力するための入力信号及びタッチ信号に基づく差動増幅器を有し、かつ
感知電極が、第一の寄生コンデンサの容量値を有する積分回路ピンを介して、差動増幅器の第二の入力端に電気的に接続され；感知電極が、第二の寄生コンデンサの容量値を有し；第一のコンデンサが、平行に接続された第一の寄生コンデンサ及び第二の寄生コンデンサのそれに近い容量値を有する、
微小インピーダンス変動検出装置。
【請求項８】
微小インピーダンス変動検出装置であって：
第一の入力端、第二の入力端、及び出力端を含む差動増幅器；
差動増幅器の第一の入力端に電気的に接続された第一及び第二の端部を有する第一のインピーダンス；
差動増幅器の第二の入力端に電気的に接続された第一及び第二の端部を有する第二のインピーダンス；
タッチを感知してタッチ信号を受け取るために、差動増幅器の第二の入力端に電気的に接続された感知電極；  
第一のインピーダンス及び第二のインピーダンスに入力される入力信号を供するために、第一のインピーダンスの第一の端部及び第二のインピーダンスの第一の端部に電気的に接続された信号源；  
差動増幅器の第一の入力端に電気的に接続された第一のコンデンサ、ここで第一のコンデンサが、積分回路ピン上に存在する物理的コンデンサ又は寄生コンデンサである；
差動増幅器の出力端に電気的に接続された整流器及びフィルタ回路；
整流器及びフィルタ回路に電気的に接続されたピーク電圧検出器回路；及び
ピーク電圧検出器回路に電気的に接続されたＡ／Ｄ変換器回路を含み、
ここで、第一のインピーダンスが、第二のインピーダンスのそれに近いインピーダンス値、並びに、タッチ信号を差動的に増幅するための、及び差動的に増幅されたタッチ信号を出力端に出力するための入力信号及びタッチ信号に基づく差動増幅器を有し、かつ
感知電極が、第一の寄生コンデンサの容量値を有する積分回路ピンを介して、差動増幅器の第二の入力端に電気的に接続され；感知電極が、第二の寄生コンデンサの容量値を有し；第一のコンデンサが、平行に接続された第一の寄生コンデンサ及び第二の寄生コンデンサのそれに近い容量値を有する、
微小インピーダンス変動検出装置。
【発明の詳細な説明】
【関連出願の相互参照】
【０００１】
本出願は、２０１１年１月３１日に出願された台湾出願特許番号１００１０３６５９の利益を主張し、その主題が本明細書に引用することにより取り込まれている。
【技術分野】
【０００２】
本発明は、インピーダンス検出装置に関する、特に、微小インピーダンス変動検出装置に関する。
【背景技術】
【０００３】
一般に、既存のタッチパネルは、抵抗型及びと容量型に分類される。抵抗型タッチパネルは他のものよりかなり早くから開発されてきたため、主要な市場を占有しており、一方、容量型タッチパネルも最近、普及している。
【０００４】
抵抗型タッチパネルは、上部ＩＴＯ（インジウム−錫−酸化物）導電層及び下部ＩＴＯ導電層を積み重ねることによって形成される。実際の操作において、抵抗型タッチパネルの表面にかけられる圧力によって、上部導電層の電極が下部導電層の電極と伝導され、そして接触点の位置を計算し、そのことによって入力として進行するように、タッチパネルの圧力変動を検出するためにコントローラーが用いられる。使用者がタッチパネルの表面上の或る点をタッチするとき、伝導された電流が活性化され、その結果、コントローラーが、活性化された点の位置を計算する。しかしながら、そのような二重層のＩＴＯ構造を有するタッチパネルに対して、同じ面上のＩＴＯ電極を接続するための層ギャップは比較的狭く、従って、短絡問題が生じ易く、検出エラーをもたらす。
【０００５】
更に、容量型タッチパネルの開発において、自己容量に影響を与える主要因は人体及び接触領域の電場であり、ここで人体の電場は、地面の電場の影響のせいで、典型的には信号を運ぶ。人体の電場の影響を効果的に減らすために、測定回路は容量値を計算するために一般的に平均値を適用する。つまり、複数回に亘って計算された容量値の平均値が、タッチ入力があるか否かを定めるために採用される。従って、もし人体の電場及び地面の電場がノイズとして処理されるならば、容量型タッチパネルの正確性及び安定性が非常に影響を受けることになる。
【０００６】
従って、前述のタッチ制御装置の使用において、回路、電場、電源等からのノイズの影響を避けることは困難である。また、正確性及び安定性の考慮に基づき、より小さい抵抗値を有するＩＴＯ電極が前述のタッチ制御装置において典型的には使用されるため、大型のタッチパネルを製造することは困難であり、その結果タッチパネルの開発が制約される。
【発明の概要】
【発明が解決しようとする課題】
【０００７】
本発明の目的は、より大きな抵抗値及び大きなサイズのタッチパネルを有するＩＴＯ電極に適する微小インピーダンス変動検出装置を供することである。
【課題を解決するための手段】
【０００８】
この目的を達成するために、以下を含む微小インピーダンス変動検出装置が供される：第一の入力端、第二の入力端、及び出力端を含む差動増幅器；差動増幅器の第一の入力端に電気的に接続された第一及び第二の端部を有する第一のインピーダンス；差動増幅器の第二の入力端に電気的に接続された第一及び第二の端部を有する第二のインピーダンス；タッチを感知してタッチ信号を受け取るために、差動増幅器の第二の入力端に電気的に接続された感知電極；及び第一のインピーダンス及び第二のインピーダンスに入力される入力信号を供するために、第一のインピーダンスの第一の端部及び第二のインピーダンスの第一の端部に電気的に接続された信号源。第一のインピーダンスは、第二のインピーダンスのそれに近いインピーダンス値を有し、そして、差動増幅器は、タッチ信号を差動的に増幅するための、及び差動的に増幅されたタッチ信号を出力端に出力するための入力信号及びタッチ信号に基づく。
【０００９】
本発明の他の目的、利点及び新規な特徴は、添付図面と関連した以下の詳細な記述からより明らかになるであろう。
【図面の簡単な説明】
【００１０】
【図１】本発明の第一の実施態様に従う微小インピーダンス変動検出装置のシステム図であり；
【図２】本発明の第一の実施態様に従う微小インピーダンス変動検出装置のための第一の出力回路を概略的に説明し；
【図３】本発明の第一の実施態様に従う微小インピーダンス変動検出装置のための第二の出力回路を概略的に説明し；
【図４】本発明の第二の実施態様に従う微小インピーダンス変動検出装置のシステム図であり；そして、
【図５】本発明の第三の実施態様に従う微小インピーダンス変動検出装置のシステム図である。
【発明を実施するための形態】
【００１１】
図１を参照すると、本発明の第一の実施態様に従う微小インピーダンス変動検出装置のシステム図が示される。示された通り、本発明の微小インピーダンス変動検出装置１は、以下を含む：差動増幅器１１；二つの端部１２１、１２２を有する第一のインピーダンス１２；二つの端部１３１、１３２を有する第二のインピーダンス１３；二つの端部１４１、１４２を有する第一のコンデンサ１４；感知電極１５；及び信号源１６。差動増幅器１１は、第一の入力端１１１、第二の入力端１１２及び出力端１１３を含む。第一のインピーダンス１２の端部１２２及びコンデンサ１４の端部１４２は、差動増幅器１１の第一の入力端１１１に電気的に接続される。コンデンサ１４の端部１４１は地面に接続される。尚、第一のコンデンサ１４は、（示されていない）積分回路ピン上に存在する物理的コンデンサ又は寄生コンデンサであってよい。第二のインピーダンス１３の端部１３２及び感知電極１５は、差動増幅器１１の第二の入力端１１２に電気的に接続される。信号源は、第一のインピーダンス１２の端部１２１及び第二のインピーダンス１３の端部１３１に電気的に接続される。感知電極１５は、タッチ信号を受け取るように、タッチを感知するために供される。この実施態様において、感知電極１５は、指、導体又は物体（object）からのタッチが感知されるとき、タッチ信号を受け取る。信号源１６は、第一のインピーダンス１２及び第二のインピーダンス１３に入力されるための入力信号を供する。この実施態様において、信号源１６は、第一のインピーダンス１２及び第二のインピーダンス１３に周期的信号を入力する。
【００１２】
この実施態様において、感知電極１５は、積分回路ピン９を介して、差動増幅器１１の第二の入力端１１２に電気的に接続される。積分回路ピン９は、第一の寄生容量３１有し、そして感知電極１５も第二の寄生容量３２を有する。
【００１３】
本発明の微小インピーダンス変動検出装置において、第一のインピーダンス１２のインピーダンス値は、第二のインピーダンス１３のインピーダンス値に近いか又は等しくさえある。入力信号及びタッチ信号に基づく差動増幅器１１は、タッチ信号を差動的に増幅し、そして差動的に増幅されたタッチ信号を出力端１１３に出力する。入力信号が、類似のインピーダンス値を有する第一のインピーダンス１２と第二のインピーダンス１３の間に入力されるので、入力信号は差動増幅器の第一の入力端１１１及び第二の入力端１１２に送られる。第一のインピーダンス１２のインピーダンス値が、第二のインピーダンス１３のインピーダンス値に近いとき、そして第一のコンデンサ１４の容量値が、平行に接続された第一の寄生容量３１及び第二の寄生容量３２の容量値に近いか等しくさえあるとき、差動的に増幅された出力信号（タッチ信号）は、信号源の上下の回路が対称的であるので、ゼロに近い。本発明の信号源１６は、第一のインピーダンス１２及び第二のインピーダンス１３に周期的信号を入力する。周期的信号は、例えば、正弦波、四角波、三角波などであってよい。あるいは、本発明の信号源１６は、第一のインピーダンス１２及び第二のインピーダンス１３に非周期的信号又はノイズ信号さえも入力でき、そして差動的に増幅された出力信号もゼロに近い。
【００１４】
この実施態様において、第一のコンデンサ１４の容量値は、平行に接続された第一の寄生容量３１及び第二の寄生容量３２の容量値に近いか等しくさえある。指、導体又は物体が、感知電極１５に近づくか又は接触するとき、感知電極１５の第二の寄生容量３２の値は変えられ、そのため差動増幅器の入力端１１２上に現れる分割された電圧及び相が変えられ、その結果、第一の入力端１１１上及び第二の入力端１１２上の電圧は互いに異なる。そのような現象は、重たい端部に向かってバランスが傾くというバランスの不均衡に類似している。従って、差動増幅器１１の差動増幅の後、その出力端１１３は増幅されたタッチ信号を出力する。差動増幅器１１の出力変動を測定することによって、感知電極１５によって発生した微小寄生容量変動を区別することができる。
【００１５】
増幅された出力信号の決定は、出力回路を出力端１１３に更に接続することによって達成することができる。図２において示される通り、本発明は、出力端１１３でタッチ信号を処理するための、整流器及びフィルタ回路２１、積分回路２２並びにＡ／Ｄ変換器回路２３を更に含む。整流器及びフィルタ回路２１は、差動増幅器１１の出力端１１３に電気的に接続される。積分回路２２は、整流器及びフィルタ回路２１に電気的に接続される。Ａ／Ｄ変換器回路２３は、積分回路２２に電気的に接続される。あるいは、別の出力回路が同じ目的を達成するために使用することができる。図３において示される通り、この出力回路は、整流器及びフィルタ回路２１、ピーク電圧検出器回路２４並びにＡ／Ｄ変換器回路２３を含む。整流器及びフィルタ回路２１は、差動増幅器１１の出力端１１３に電気的に接続される。ピーク電圧検出器回路２４は、整流器及びフィルタ回路２１に電気的に接続される。Ａ／Ｄ変換器回路２３は、ピーク電圧検出器回路２４に電気的に接続される。
【００１６】
次いで、図４を参照すれば、本発明の第二の実施態様に従う微小インピーダンス変動検出装置のシステム図が示される。図４において示される通り、この実施態様の回路図は、第二のコンデンサ１７が加えられることを除いて、第一の実施態様のそれと類似している。第二のコンデンサ１７は、地面に接続された第一の端部１７１、及び差動増幅器１１の第二の入力端１１２に電気的に接続された第二の端部１７２を有する。平行に接続される第二のコンデンサ１７、第一の寄生容量３１及び第二の寄生容量３２の容量値は、第一のコンデンサの容量値に近いか又は等しくさえある。従って、差動増幅器１１の第一の入力端１１１及び第二の入力端１１２は、類似の容量値を有するコンデンサと接続される。
【００１７】
更に、図５を参照すれば、本発明の第三の実施態様に従う微小インピーダンス変動検出装置のシステム図が示される。図５において示される通り、この実施態様の回路図は、第三のインピーダンス１８が加えられることを除いて、第一の実施態様のそれと類似している。第三のインピーダンス１８は、信号源１６に接続されたそれぞれの二つの端部１８１、１８２、及び第一及び第二のインピーダンス１２、１３の端部１２１及び１３１を有する。第一のインピーダンス１２及び第二のインピーダンス１３上に分配された電圧が完全には等しくないとき、第三のインピーダンス１８はそのような違いを調節するために使用することができる。好ましくは、第三のインピーダンス１８は抵抗器である。
【００１８】
従って、本発明の微小インピーダンス変動検出装置１を用いると、回路、電源等からのノイズによって生じる干渉を削除することが可能である。また、本発明は、比較的高い感度を供するように、非常に小さい変動を測定することができる。本発明はまた、より高い抵抗値及び大型のタッチパネルを有するＩＴＯ電極に対しても適しているため、高い適合性を有する。
【００１９】
本発明がその好ましい実施態様に関して説明されてきたが、他の可能な修正及び変更が以下に請求された本発明の精神と範囲を逸脱することなくなされ得ると理解されるべきである。
【図１】
0005553848.tif 000002
【図２】
0005553848.tif 000003
【図３】
0005553848.tif 000004
【図４】
0005553848.tif 000005
【図５】
0005553848.tif 000006